(57)【要約】【課題】ＰＣや携帯端末を用いて検索したコンテンツをＳＴＢで視聴する。【解決手段】ＰＣ３１や携帯端末３２に予約ページを送信してコンテンツの予約を受け付け、予約するコンテンツがテレビ放送のコンテンツである場合は、そのコンテンツを予約リストに登録するとともに、ＳＴＢ２に対して予約リストに登録されたコンテンツの予約を実行させ、予約するコンテンツがビデオオンデマンドのコンテンツである場合は、そのコンテンツをビデオブックマークに登録しておき、ＳＴＢ２から要求があったときにビデオブックマークに登録されているコンテンツの一覧をＳＴＢ２に送信し、ＳＴＢ２は、受信したコンテンツの一覧をユーザに提示して視聴するコンテンツの選択を促す。これにより、ユーザは、ＳＴＢ２で視聴したいコンテンツをＳＴＢ２を用いずにＰＣ３１や携帯端末３２を用いて予約することができる。【選択図】図２
2012029200.tif 000002
【特許請求の範囲】
【請求項１】
リモート予約装置と映像受信装置とを備え、前記映像受信装置以外の端末を用いて視聴するコンテンツを予約するリモート予約システムであって、
前記リモート予約装置は、
前記端末にコンテンツの一覧およびコンテンツを予約するための予約ボタンを有する予約ページを送信する予約ページ送信手段と、
前記端末からコンテンツの予約情報を受信し、当該コンテンツが決められた時間に送信されるコンテンツである場合は、当該コンテンツを第１のコンテンツリストに登録し、当該コンテンツが任意の時間に送信可能なコンテンツである場合は、当該コンテンツを第２のコンテンツリストに登録する登録手段と、
前記第１のコンテンツリストに登録されている前記コンテンツの予約情報を前記映像受信装置に送信する予約管理手段と、
前記映像受信装置から前記第２のコンテンツリストに登録されたコンテンツの一覧の要求信号を受信した場合に、前記第２のコンテンツリストに登録されたコンテンツの一覧を前記映像受信装置に送信するブックマーク管理手段と、を有し、
前記映像受信装置は、
前記予約情報を受信した場合、当該予約情報に基づいて前記コンテンツの録画予約あるいは視聴予約を行う予約手段と、
ユーザの求めに応じて前記リモート予約装置に登録したコンテンツの一覧の要求信号を送信し、受信したコンテンツの一覧をユーザに提示して視聴するコンテンツの選択を促すビデオ選択手段と、を有すること
を特徴とするリモート予約システム。
【請求項２】
コンテンツを紹介するとともに、当該コンテンツを予約可能な前記予約ページのロケーション情報を含む情報源から前記端末により当該ロケーション情報を取得して前記予約ページの送信を前記リモート予約装置に要求することを特徴とする請求項１記載のリモート予約システム。
【請求項３】
前記情報源は紙媒体のメディアであって、前記ロケーション情報を２次元コードに変換して記載し、当該２次元コードを前記端末により撮影し前記ロケーション情報を取得することを特徴とする請求項２記載のリモート予約システム。
【請求項４】
前記リモート予約装置は、前記端末により入力された条件に該当するコンテンツを検索し、当該条件に該当するコンテンツの一覧およびそのコンテンツを予約するための予約ボタンを有する予約ページを生成する検索手段を有することを特徴とする請求項１記載のリモート予約システム。
【請求項５】
リモート予約装置と映像受信装置とを備え、前記映像受信装置以外の端末を用いて視聴するコンテンツを予約するリモート予約方法であって、
前記リモート予約装置による、
前記端末にコンテンツの一覧およびコンテンツを予約するための予約ボタンを有する予約ページを送信するステップと、
前記端末からコンテンツの予約情報を受信し、当該コンテンツが決められた時間に送信されるコンテンツである場合は、当該コンテンツを第１のコンテンツリストに登録し、当該コンテンツが任意の時間に送信可能なコンテンツである場合は、当該コンテンツを第２のコンテンツリストに登録するステップと、
前記第１のコンテンツリストに登録されている前記コンテンツの予約情報を前記映像受信装置に送信するステップと、
前記映像受信装置から前記第２のコンテンツリストに登録されたコンテンツの一覧の要求信号を受信した場合に、前記第２のコンテンツリストに登録されたコンテンツの一覧を前記映像受信装置に送信するステップと、を有し、
前記映像受信装置による、
前記予約情報を受信した場合、当該予約情報に基づいて前記コンテンツの録画予約あるいは視聴予約を行うステップと、
ユーザの求めに応じて前記リモート予約装置に登録したコンテンツの一覧の要求信号を送信し、受信したコンテンツの一覧をユーザに提示して視聴するコンテンツの選択を促すステップと、を有すること
を特徴とするリモート予約方法。
【請求項６】
コンテンツを紹介するとともに、当該コンテンツを予約可能な前記予約ページのロケーション情報を含む情報源から前記端末により当該ロケーション情報を取得して前記予約ページの送信を前記リモート予約装置に要求することを特徴とする請求項５記載のリモート予約方法。
【請求項７】
前記情報源は紙媒体のメディアであって、前記ロケーション情報を２次元コードに変換して記載し、当該２次元コードを前記端末により撮影し前記ロケーション情報を取得することを特徴とする請求項６記載のリモート予約方法。
【請求項８】
前記リモート予約装置は、前記端末により入力された条件に該当するコンテンツを検索し、当該条件に該当するコンテンツの一覧およびそのコンテンツを予約するための予約ボタンを有する予約ページを生成するステップを有することを特徴とする請求項５記載のリモート予約方法。
【請求項９】
映像受信装置で視聴するコンテンツを予約するリモート予約装置であって、
端末にコンテンツの一覧およびコンテンツを予約するための予約ボタンを有する予約ページを送信する予約ページ表示手段と、
前記端末からコンテンツの予約情報を受信し、当該コンテンツが決められた時間に送信されるコンテンツである場合は、当該コンテンツを第１のコンテンツリストに登録し、当該コンテンツが任意の時間に送信可能なコンテンツである場合は、当該コンテンツを第２のコンテンツリストに登録する登録手段と、
前記第１のコンテンツリストに登録されている前記コンテンツの予約情報を前記映像受信装置に送信する予約管理手段と、
ユーザの求めに応じて前記映像受信装置から前記第２のコンテンツリストに登録されたコンテンツの一覧の要求信号を受信した場合に、前記第２のコンテンツリストに登録されたコンテンツの一覧を前記映像受信装置に送信するブックマーク管理手段と、を有すること
を特徴とするリモート予約装置。
【請求項１０】
前記端末により入力された条件に該当するコンテンツを検索し、当該条件に該当するコンテンツの一覧およびそのコンテンツを予約するための予約ボタンを有する予約ページを生成する検索手段を有することを特徴とする請求項９記載のリモート予約装置。
【発明の詳細な説明】
【技術分野】
【０００１】
本発明は、視聴したいコンテンツを遠隔地から予約する技術に関する。
【背景技術】
【０００２】
近年では、ブロードバンド回線の普及に伴い、ネットワークを利用した映像配信サービスが拡大している。地上波デジタル放送、ＢＳデジタル放送、および多数の専門チャンネル放送などの放送サービスに加え、ビデオオンデマンド形式によるサービスも提供されている（非特許文献１）。
【０００３】
ユーザは、宅内に配置されたＳＴＢ（Ｓｅｔ  Ｔｏｐ  Ｂｏｘ：セットトップボックス）を利用して映像配信サービスを受ける。近年のＳＴＢは、ネットワークを介して受信した信号をテレビなどで視聴可能な信号に変換する機能だけでなく、ハードディスクなどの記憶装置を接続してテレビ番組を録画する機能を有する。
【先行技術文献】
【非特許文献】
【０００４】
【非特許文献１】"ひかりＴＶ"、［ｏｎｌｉｎｅ］、［平成２２年７月７日検索］、インターネット〈ＵＲＬ：http://www.hikaritv.net/〉
【発明の概要】
【発明が解決しようとする課題】
【０００５】
しかしながら、放送サービス、ビデオオンデマンドにより膨大な量のコンテンツが配信されるため、見たいコンテンツが見つからない、どのコンテンツをみればよいのかわからないという問題があった。ガイド紙等でおすすめコンテンツが紹介される場合でも、そのコンテンツをＳＴＢで表示されるテレビ番組表から検索したり、コンテンツ名などを条件にして検索する必要がある。
【０００６】
ＳＴＢのトップページに表示されるコンテンツは、容易に選択して視聴することができるが、それ以外のコンテンツに関しては、ユーザがＳＴＢのリモコンを用いてコンテンツを検索する必要があり、リモコンでは操作が煩雑になるという問題があった。
【０００７】
一方、ＰＣ（パーソナルコンピュータ）や携帯電話などを用いてネットワーク上を検索することは頻繁に行われており、ユーザにとってＰＣや携帯電話を用いる検索は容易なものである。
【０００８】
本発明は、上記に鑑みてなされたものであり、ＰＣや携帯端末を用いて検索したコンテンツをテレビで視聴することを目的とする。
【課題を解決するための手段】
【０００９】
第１の本発明に係るリモート予約システムは、リモート予約装置と映像受信装置とを備え、前記映像受信装置以外の端末を用いて視聴するコンテンツを予約するリモート予約システムであって、前記リモート予約装置は、前記端末にコンテンツの一覧およびコンテンツを予約するための予約ボタンを有する予約ページを送信する予約ページ送信手段と、前記端末からコンテンツの予約情報を受信し、当該コンテンツが決められた時間に送信されるコンテンツである場合は、当該コンテンツを第１のコンテンツリストに登録し、当該コンテンツが任意の時間に送信可能なコンテンツである場合は、当該コンテンツを第２のコンテンツリストに登録する登録手段と、前記第１のコンテンツリストに登録されている前記コンテンツの予約情報を前記映像受信装置に送信する予約管理手段と、前記映像受信装置から前記第２のコンテンツリストに登録されたコンテンツの一覧の要求信号を受信した場合に、前記第２のコンテンツリストに登録されたコンテンツの一覧を前記映像受信装置に送信するブックマーク管理手段と、を有し、前記映像受信装置は、前記予約情報を受信した場合、当該予約情報に基づいて前記コンテンツの録画予約あるいは視聴予約を行う予約手段と、ユーザの求めに応じて前記リモート予約装置に登録したコンテンツの一覧の要求信号を送信し、受信したコンテンツの一覧をユーザに提示して視聴するコンテンツの選択を促すビデオ選択手段と、を有することを特徴とする。
【００１０】
第２の本発明に係るリモート予約方法は、リモート予約装置と映像受信装置とを備え、前記映像受信装置以外の端末を用いて視聴するコンテンツを予約するリモート予約方法であって、前記リモート予約装置による、前記端末にコンテンツの一覧およびコンテンツを予約するための予約ボタンを有する予約ページを送信するステップと、前記端末からコンテンツの予約情報を受信し、当該コンテンツが決められた時間に送信されるコンテンツである場合は、当該コンテンツを第１のコンテンツリストに登録し、当該コンテンツが任意の時間に送信可能なコンテンツである場合は、当該コンテンツを第２のコンテンツリストに登録するステップと、前記第１のコンテンツリストに登録されている前記コンテンツの予約情報を前記映像受信装置に送信するステップと、前記映像受信装置から前記第２のコンテンツリストに登録されたコンテンツの一覧の要求信号を受信した場合に、前記第２のコンテンツリストに登録されたコンテンツの一覧を前記映像受信装置に送信するステップと、を有し、前記映像受信装置による、前記予約情報を受信した場合、当該予約情報に基づいて前記コンテンツの録画予約あるいは視聴予約を行うステップと、ユーザの求めに応じて前記リモート予約装置に登録したコンテンツの一覧の要求信号を送信し、受信したコンテンツの一覧をユーザに提示して視聴するコンテンツの選択を促すステップと、を有することを特徴とする。
【００１１】
第３の本発明に係るリモート予約装置は、映像受信装置で視聴するコンテンツを予約するリモート予約装置であって、端末にコンテンツの一覧およびコンテンツを予約するための予約ボタンを有する予約ページを送信する予約ページ表示手段と、前記端末からコンテンツの予約情報を受信し、当該コンテンツが決められた時間に送信されるコンテンツである場合は、当該コンテンツを第１のコンテンツリストに登録し、当該コンテンツが任意の時間に送信可能なコンテンツである場合は、当該コンテンツを第２のコンテンツリストに登録する登録手段と、前記第１のコンテンツリストに登録されている前記コンテンツの予約情報を前記映像受信装置に送信する予約管理手段と、ユーザの求めに応じて前記映像受信装置から前記第２のコンテンツリストに登録されたコンテンツの一覧の要求信号を受信した場合に、前記第２のコンテンツリストに登録されたコンテンツの一覧を前記映像受信装置に送信するブックマーク管理手段と、を有することを特徴とする。
【発明の効果】
【００１２】
本発明によれば、ＰＣや携帯端末を用いて検索したコンテンツをテレビで視聴することができる。
【図面の簡単な説明】
【００１３】
【図１】本実施の形態におけるリモート予約システムの全体構成図である。
【図２】本実施の形態におけるリモートサービスサーバの構成を示す機能ブロック図である。
【図３】リモートサービスサーバにコンテンツを予約する処理の流れを示すフローチャートである。
【図４】ＳＴＢに録画予約・視聴予約を実行させる処理の流れを示すフローチャートである。
【図５】リモートサービスサーバに予約されたコンテンツを視聴する処理の流れを示すフローチャートである。
【発明を実施するための形態】
【００１４】
以下、本発明の実施の形態について図面を用いて説明する。
【００１５】
図１は、本実施の形態におけるリモート予約システムの全体構成図である。
【００１６】
リモートサービスサーバ１は、インターネット１００およびアクセス網２００に接続され、ＰＣ３１や携帯端末３２からインターネット１００を介してテレビ番組の録画予約・視聴予約、あるいはオンデマンドのビデオ作品のブックマーク登録を受け付け、アクセス網２００に接続されたＳＴＢ２に対してテレビ番組の録画予約・視聴予約、およびブックマーク登録されたビデオ作品の一覧を表示させる。なお、以下では、テレビ番組、ビデオ作品などをコンテンツと、録画予約・視聴予約、およびブックマークに登録することを予約と称することもある。
【００１７】
テレビ番組の録画予約・視聴予約、ビデオ作品のブックマーク登録は、リモートサービスサーバ１がＰＣ３１や携帯端末３２に表示させる予約ページを用いて行う。予約ページには、バナー広告、メールマガジンなどのリンクをクリックすること、ガイド紙４２に掲載されているＱＲコード４２１を撮影して得られたＵＲＬにアクセスすること、番組表のリンクから、あるいは、コンテンツを検索することでアクセスできる。
【００１８】
ＳＴＢ２は、アクセス網２００に接続され、アクセス網２００を介してテレビ放送やビデオオンデマンドなどのＩＰ放送を受信し、テレビ２１で視聴可能な信号に変換する。また、リモートサービスサーバ１が受け付けたテレビ番組の録画予約・視聴予約などの予約情報を受信して予約を実行する。さらに、ブックマーク登録されたビデオ作品の一覧をリモートサービスサーバ１から受信してユーザに提示し、視聴するビデオ作品の選択を受け付け、選択されたビデオ作品の配信をコンテンツサーバ（図示せず）から受けてテレビ２１に表示させる。なお、テレビ２１がＳＴＢ２の機能を内蔵していてもよく、パーソナルコンピュータ等でＳＴＢ２の機能を実現して視聴するものでもよい。
【００１９】
ＰＣ３１、携帯端末３２は、インターネット１００を介して、メールマガジン、Ｗｅｂサイト、あるいはテレビ番組表などからコンテンツを検索し、予約ページにアクセスしてリモートサービスサーバ１に予約する。予約ページのＵＲＬを示すＱＲコード４２１を撮影して予約ページにアクセスすることもできる。携帯端末３２は、予約ページにアクセスでき、予約情報を送信できる端末であればよく、例えば携帯電話やタブレット型コンピュータなどがある。
【００２０】
Ｗｅｂサーバ４１は、インターネット１００に接続されており、テレビ番組表の提供、あるいは、おすすめのテレビ番組、ビデオ作品などを紹介するとともに、それらのコンテンツの予約が可能な予約ページへのリンクを備える。ＰＣ３１、携帯端末３２からＷｅｂサーバ４１にアクセスし、予約ページへのリンクをクリックすることで、そのＷｅｂサーバ４１で紹介されていたコンテンツを容易に予約できる。
【００２１】
ガイド紙４２は、テレビ番組表やおすすめのコンテンツを紹介する雑誌であり、予約ページへのリンクを記載したＱＲコード４２１を備える。例えば、ある特集ページに記載されたＱＲコード４２１を携帯端末３２により撮影し、得られたＵＲＬにアクセスすることで、その特集で紹介されたコンテンツの予約を受け付ける予約ページへ容易にアクセスすることが可能である。
【００２２】
図２は、本実施の形態におけるリモートサービスサーバの構成を示す機能ブロック図である。同図に示すリモートサービスサーバ１は、予約ページ表示部１０１、予約ページＵＲＬ生成部１０２、プロモーションＷｅｂ１０３、コンテンツ検索部１０４、コンテンツＤＢ（データベース）１０５、登録部１０６、予約情報管理部１０７、ビデオブックマーク管理部１０８、契約者情報管理部１０９、および契約者情報ＤＢ１１０を備える。リモートサービスサーバ１が備える各部は、演算処理装置、記憶装置等を備えたコンピュータにより構成して、各部の処理がプログラムによって実行されるものとしてもよい。このプログラムはリモートサービスサーバ１が備える記憶装置に記憶されており、磁気ディスク、光ディスク、半導体メモリ等の記録媒体に記録することも、ネットワークを通して提供することも可能である。以下、各部について説明する。
【００２３】
予約ページ表示部１０１は、コンテンツの予約が可能な予約ボタンを備える予約ページをＰＣ３１、携帯端末３２に送信して表示させるとともに、予約するコンテンツの選択を受け付ける。予約ページは、コンテンツの一覧、そのコンテンツを予約するための予約ボタンを有する。予約ボタンには、録画予約、視聴予約、およびブックマーク登録の種類がある。コンテンツがテレビ番組の場合は録画予約、視聴予約の予約ボタンが付与され、コンテンツがビデオ作品の場合はブックマーク登録の予約ボタンが付与される。また、予約ページの各コンテンツにチェックボックスを備え、チェックボックスにマークされたコンテンツをまとめて予約する予約ボタンを備えてもよい。予約ボタンがクリックされると、後述する登録部１０６が選択されたコンテンツの予約を行う。
【００２４】
予約ページは、予約ページ表示部１０１が備える記憶手段に蓄積されており、ＰＣ３１、携帯端末３２などから予約ページへのアクセス要求があると、予約ページ表示部１０１が記憶手段から該当する予約ページを読み出してＰＣ３１、携帯端末３２に送信する。送信すべき予約ページは、後述する予約ページＵＲＬ生成部１０２の生成したＵＲＬにより特定される。なお、リモートサービスサーバ１の外部に備えられた記憶手段に予約ページを格納するものでもよい。
【００２５】
また、予約ページ表示部１０１は、コンテンツ検索部１０４の検索結果をもとに、検索条件に該当するコンテンツの一覧を含み、そのコンテンツの予約が可能な予約ページを生成する。
【００２６】
予約ページＵＲＬ生成部１０２は、予約ページ表示部１０１がＰＣ３１、携帯端末３２などに表示させる予約ページのロケーションを示すＵＲＬを生成する。ＰＣ３１、携帯端末３２は、予約ページＵＲＬ生成部１０２が生成したＵＲＬにアクセスすることで予約ページを表示させることができる。予約ページＵＲＬ生成部１０２が生成するＵＲＬは固定ＵＲＬであり、プロモーションＷｅｂ１０３やメールマガジン、あるいはＱＲコード４２１に変換してガイド紙４２に掲載される。ユーザは、ＰＣ３１、携帯端末３２によりそのＵＲＬをクリック、あるいは入力することで、メールマガジンやガイド紙４２などのメディアで紹介されたコンテンツの予約が可能な予約ページにアクセスすることができる。なお、ＵＲＬを電子的に表示させるだけでなく、ＱＲコード４２１に変換することで、ガイド紙４２などで特集されたコンテンツの予約が可能な予約ページに容易にアクセスすることが可能となる。
【００２７】
プロモーションＷｅｂ１０３は、おすすめのコンテンツなどを紹介し、予約ページへのリンクを有する。ユーザは、インターネット１００を介してプロモーションＷｅｂ１０３にアクセスし、おすすめのコンテンツ紹介を見て予約ページへのリンクをクリックし、予約ページをＰＣ３１、携帯端末３２に表示させてコンテンツを予約することができる。プロモーションＷｅｂ１０３は、リモートサービスサーバ１ではなくインターネット１００上に配置してもよい。
【００２８】
コンテンツ検索部１０４は、コンテンツのメタデータを格納したコンテンツＤＢ１０５にアクセスし、入力された条件に該当するコンテンツを検索する。検索する条件は、プロモーションＷｅｂ１０３などを介してユーザから入力する。検索結果は、予約ページ表示部１０１に送信し、予約ページとしてＰＣ３１、携帯端末３２に表示させる。
【００２９】
登録部１０６は、ユーザが選択したコンテンツの予約を行う。具体的には、登録部１０６は、契約者情報管理部１０９によりユーザのＳＴＢ２を特定し、特定したＳＴＢ２に関連付けてユーザが選択したコンテンツの予約を行う。コンテンツの予約のうち、テレビ番組の録画予約・視聴予約は、予約情報管理部１０７が行い、ビデオ作品のブックマーク登録は、ビデオブックマーク管理部１０８が行う。
【００３０】
予約情報管理部１０７は、テレビ放送など決められた時間に送信されるコンテンツを登録する予約リストを有し、アクセス網２００を介してＳＴＢ２と通信を行い、予約リストに登録されたコンテンツについてＳＴＢ２に録画予約・視聴予約を実行させる。録画予約・視聴予約が完了したテレビ番組は予約リストから削除される。
【００３１】
ビデオブックマーク管理部１０８は、ユーザが好きな時間にビデオ作品を視聴できるビデオオンデマンドのコンテンツを登録するビデオブックマークを有し、ＳＴＢ２からの求めに応じてビデオブックマークをＳＴＢ２に送信する。ＳＴＢ２は、ビデオブックマークを受信してユーザに提示し、視聴するコンテンツの選択を受け付ける。
【００３２】
契約者情報管理部１０９は、コンテンツの予約を行うユーザを認証し、契約者情報ＤＢ１１０を参照してユーザに関連付けられたＳＴＢ２を特定する。予約ページを表示する際、あるいはコンテンツの予約を行う際に、ユーザＩＤ、パスワードの入力を促してユーザ認証を行う。なお、１台のＳＴＢ２に対して複数のユーザを関連付けてもよい。例えば、ＳＴＢ２の契約者が父で、予約が可能なユーザとして父、母、子を登録し、それぞれ別々のユーザＩＤでコンテンツの予約が可能である。
【００３３】
契約者情報ＤＢ１１０には、契約しているＳＴＢ２の情報にユーザＩＤ等を関連つけて契約者情報を格納している。
【００３４】
次に、本実施の形態におけるリモート予約システムの処理の流れについて説明する。
【００３５】
図３は、リモートサービスサーバにコンテンツを予約する処理の流れを示すフローチャートである。
【００３６】
まず、ユーザがＰＣ３１、携帯端末３２を用いてリモートサービスサーバ１が提供する予約ページにアクセスする（ステップＳ１０１）。Ｗｅｂサーバ４１に表示されたバナー広告、メールマガジンなどのリンクをクリック、ＱＲコード４２１を撮影して得られたＵＲＬ、番組表、コンテンツ検索の検索結果など様々な情報源から予約ページへのアクセスが行われる。
【００３７】
リモートサービスサーバ１は、アクセスされたＵＲＬに該当する予約ページをＰＣ３１、携帯端末３２に送信して表示させ（ステップＳ１０２）、ＰＣ３１、携帯端末３２からコンテンツの選択を受け付ける（ステップＳ１０３）。ユーザが予約ページの予約ボタンをクリックすることで、予約ボタンをクリックされたコンテンツの情報がＰＣ３１、携帯端末３２からリモートサービスサーバ１に送信される。あるいは、ユーザが複数のコンテンツのチェックボックスをマークし、まとめて予約する予約ボタンをクリックすることで、選択された複数のコンテンツの情報が送信される。
【００３８】
そして、リモートサービスサーバ１は、ユーザに対してユーザＩＤとパスワードの入力を促し、入力されたユーザＩＤとパスワードに基づいてユーザ認証を行い、ユーザＩＤに関連付けられたＳＴＢ２を特定する（ステップＳ１０４）。ユーザＩＤ、パスワードの入力は、予約ページ、あるいはプロモーションＷｅｂ１０３にアクセスする際に行われるものでもよい。
【００３９】
そして、特定したＳＴＢ２に関連付けてコンテンツを予約する（ステップＳ１０５）。テレビ放送のコンテンツに関しては、予約情報管理部１０７が有する予約リストに予約情報として登録し、ビデオオンデマンドのコンテンツに関しては、ビデオブックマーク管理部１０８が有するビデオブックマークに登録する。なお、予約リスト、ビデオブックマークはＳＴＢ２毎に用意されている。
【００４０】
続いて、登録された録画予約・視聴予約をＳＴＢに実行させる処理について説明する。
【００４１】
図４は、ＳＴＢに録画予約・視聴予約を実行させる処理の流れを示すフローチャートである。
【００４２】
予約情報管理部１０７は、予約リストに予約情報が登録されると、ＳＴＢ２との間で通信を確立し（ステップＳ２０１）、予約情報をＳＴＢ２に送信する（ステップＳ２０２）。
【００４３】
ＳＴＢ２は予約情報を受信すると、その予約情報に基づき、ＳＴＢ２自身の有する録画予約・視聴予約機能を用いて、録画予約・視聴予約を行う（ステップＳ２０３）。
【００４４】
コンテンツリストに複数の予約情報が登録されている場合は、ステップＳ２０２に戻り、予約情報を送信する処理を繰り返す。あるいは、ステップＳ２０２において複数の予約情報をまとめてＳＴＢ２に送信し、ＳＴＢ２が受信した複数の予約情報に基づき、個別に録画予約・視聴予約を行うものでもよい。
【００４５】
続いて、ブックマーク登録されたコンテンツを視聴する処理について説明する。リモートサービスサーバ１は、ユーザが視聴したいとして予約したコンテンツのビデオブックマークを保持しており、ユーザは、ＳＴＢ２からそのビデオブックマークを参照してコンテンツを選択し、コンテンツを視聴する。
【００４６】
図５は、リモートサービスサーバ１に登録されたビデオブックマークを参照してコンテンツを視聴する処理の流れを示すフローチャートである。
【００４７】
まず、ユーザが宅内のＳＴＢ２を操作してリモートサービスサーバ１にアクセスする（ステップＳ３０１）。
【００４８】
リモートサービスサーバ１とＳＴＢ２との間の通信が確立すると、ＳＴＢ２は、ビデオブックマーク要求信号をリモートサービスサーバ１に送信し、リモートサービスサーバ１は、ビデオブックマークをＳＴＢ２に送信する（ステップＳ３０２）。
【００４９】
ＳＴＢ２はビデオブックマークを受信すると、そのビデオブックマークに登録されたコンテンツの一覧をテレビ２１に表示し、視聴するコンテンツの選択を受け付ける（ステップＳ３０３）。
【００５０】
ユーザが視聴するコンテンツを選択すると、ＳＴＢ２は視聴するコンテンツの配信をコンテンツサーバに要求し、コンテンツの配信を受けてコンテンツを再生する（ステップＳ３０４）。コンテンツの視聴に対する課金が必要な場合は、この時点で課金処理をする。
【００５１】
以上説明したように、本実施の形態によれば、ＰＣ３１や携帯端末３２にコンテンツの一覧およびコンテンツを予約するための予約ボタンを有する予約ページを送信し、ＰＣ３１や携帯端末３２からコンテンツの予約を受け付け、予約するコンテンツがテレビ放送のコンテンツである場合は、そのコンテンツを予約リストに登録するとともに、ＳＴＢ２に対して予約リストに登録されたコンテンツの予約を実行させ、予約するコンテンツがビデオオンデマンドのコンテンツである場合は、そのコンテンツをビデオブックマークに登録しておき、ＳＴＢ２から要求があったときにビデオブックマークに登録されているコンテンツの一覧をＳＴＢ２に送信し、ＳＴＢ２は、受信したコンテンツの一覧をユーザに提示して視聴するコンテンツの選択を促すことにより、ユーザは、ＳＴＢ２で視聴したいコンテンツをＳＴＢ２を用いずにＰＣ３１や携帯端末３２を用いて予約することができる。コンテンツの予約にＳＴＢ２を用いる必要がないので、ＳＴＢ２の設置場所であるユーザ宅外でもコンテンツの予約が可能である。また、予約するコンテンツは、リモートサービスサーバ１に登録されるので、ユーザ宅内のＳＴＢ２に外部からアクセスすることなく、ＰＣ３１や携帯端末３２により登録したコンテンツの予約の解除なども可能である。
【００５２】
本実施の形態によれば、バナー広告やメールマガジンなどでコンテンツの紹介をするとともに予約ページへのリンクを備えることで、ユーザがバナー広告やメールマガジンで紹介されたコンテンツを視聴したい場合に、そのリンクをクリックするだけで、紹介されたコンテンツの予約ページにアクセスできるので、容易にシームレスにコンテンツの予約をすることが可能となる。また、ガイド紙４２でコンテンツの紹介をするとともに予約ページのＵＲＬを示すＱＲコード４２１を記載することで、ユーザは、携帯端末３２でＱＲコード４２１を撮影してＵＲＬを取得するだけで、容易にガイド紙４２で紹介されたコンテンツの予約をすることが可能となる。このように、本実施の形態のリモート予約システムを用いることでＰＣ３１や携帯端末３２で予約ページにアクセスするだけでコンテンツの予約が容易にできるので、予約ページのＵＲＬを様々なメディアで行うプロモーションに記載することで、プロモーションがコンテンツの視聴に結びつきやすくなる。
【００５３】
本実施の形態によれば、ＰＣ３１や携帯端末３２によるコンテンツの検索結果を予約ページとして表示させることで、ＳＴＢ２のリモコンを使用せずに使い慣れたＰＣ３１や携帯端末３２を用いて検索したコンテンツをＳＴＢ２により視聴できる。
【００５４】
本実施の形態によれば、予約ページを用いて複数のコンテンツをまとめて予約できるので、個別に予約をする手間を省くことができる。
【符号の説明】
【００５５】
１…リモートサービスサーバ
１０１…予約ページ表示部
１０２…予約ページＵＲＬ生成部
１０３…プロモーションＷｅｂ
１０４…コンテンツ検索部
１０５…コンテンツＤＢ
１０６…登録部
１０７…予約情報管理部
１０８…ビデオブックマーク管理部
１０９…契約者情報管理部
１１０…契約者情報ＤＢ
２…ＳＴＢ
２１…テレビ
３１…ＰＣ
３２…携帯端末
４１…Ｗｅｂサーバ
４２…ガイド紙
４２１…ＱＲコード
１００…インターネット
２００…アクセス網
【図１】
2012029200.tif 000003
【図２】
2012029200.tif 000004
【図３】
2012029200.tif 000005
【図４】
2012029200.tif 000006
【図５】
2012029200.tif 000007